(57)【要約】【課題】１台のモデムを２系統で切り替えて使用する伝送装置において、簡単な構成で、切替用電源の容量を小さくする。【解決手段】一対のＣＣＰ３とモデム７を接続し、通信回線を１系／２系に切り替える切替信号を出力する操作盤６と、モデム７とＣＣＰ３との間に、複数の切替部５２を有する切替ユニット５と、電源ユニット８とを設けた伝送装置において、操作盤６が、１系／２系選択信号および切替監視信号（ＡＬＭ）を出力し、切替ユニット５が、切替制御部５１と、モデム７を１系／２系のＣＣＰ３に切り替える切替部５２と、切替えの状態を監視し切替えに異常があるときに異常である情報をＡＬＭに搭載する切替監視回路と、切替信号およびＡＬＭを遅延させて次位の切替ユニットに出力する遅延回路を備え、切替ユニット５を経由して受信したＡＬＭにより切替ユニット５における切替の状態を監視する。【選択図】図２
2009130919.tif 000002
【特許請求の範囲】
【請求項１】
複数台のコンピュータに、それぞれ一対のＣＣＰ（通信制御処理装置）と１台のモデムを接続し、通信回線を１系または２系に切り替える切替信号を出力する操作盤と、前記モデムと前記一対のＣＣＰとの間に、複数の切替部を有する切替ユニットと、前記切替ユニットに電源を供給する電源ユニットとを設けた伝送装置において、
前記操作盤が、
１系または２系を選択する信号を出力する１系切替スイッチおよび２系切替スイッチと、
切替の状態を監視する切替監視信号を出力するともに、前記切替ユニットを経由して受信した切替監視信号により切替ユニットにおける切替の状態を監視する切替監視部とを有し、
前記切替ユニットが、
１系または２系を選択するスイッチ選択回路と、
モデムを１系または２系に切り替えるリレーを個別に制御する複数の個別制御回路と、
切替えの状態を監視し切替に異常があるときに異常であることを示す情報を出力する切替監視回路と、
切替信号および切替監視信号を遅延させて次位の切替ユニットに出力する遅延回路とを備えた
ことを特徴とする伝送装置。
【請求項２】
一対の通信回線と１台のモデムを接続し、一対の通信回線を１系または２系に切り替える切替信号を出力する操作盤と、前記モデムと前記一対の通信回線との間に、複数の切替部を有する切替ユニットと、前記切替ユニットに電源を供給する電源ユニットとを設けた伝送装置において、
前記操作盤が、
１系または２系を選択する信号を出力する１系切替スイッチおよび２系切替スイッチと、
切替の状態を監視する切替監視信号を出力するともに、前記切替ユニットを経由して受信した切替監視信号により切替ユニットにおける切替の状態を監視する切替監視部とを有し、
前記切替ユニットが、
１系または２系を選択するスイッチ選択回路と、
モデムを１系または２系に切り替えるリレーを個別に制御する複数の個別制御回路と、
切替えの状態を監視し切替に異常があるときに異常であることを示す情報を出力する切替監視回路と、
切替信号および切替監視信号を遅延させて次位の切替ユニットに出力する遅延回路とを備えた
ことを特徴とする伝送装置。
【請求項３】
前記個別制御回路には、１系と２系を切り替えるリレーが設けられた
ことを特徴とする請求項１または請求項２に記載の伝送装置。
【請求項４】
前記リレーはラッチェットリレーである
ことを特徴とする請求項３記載の伝送装置。
【発明の詳細な説明】
【技術分野】
【０００１】
本発明は、二重化した回線を切り替えるリレー切替回路を備えた伝送装置に関する。
【背景技術】
【０００２】
図７に示すように、従来の、複数のホストコンピュータ１ａを含む第１の通信システムと複数のホストコンピュータ１ｂを含む第２の通信システムを、通信網９を介して接続する通信システムにおいては、第１の伝送装置および第２の伝送装置のホストコンピュータ１を通信制御処理装置（ＣＣＰ：Ｃｏｍｍｕｎｉｃａｔｉｏｎ  ｃｏｎｔｒｏｌ  Ｐｒｏｃｅｓｓｏｒ）３とモデム７を介して通信網９に接続し、ＣＣＰ３とモデム７と通信回線９１とを１系（現用）および２系（予備）の２系統備え、現用の系統に障害が発生したときに予備の系統を選択して通信を行い、障害の発生による影響を最小限に抑えることが行われている。すなわち、このような通信システムでは、一つのホストコンピュータ１に２台のモデム７−１１、７−１２を備えることが必要となる。このような通信システムにおいて、ユーザによってはモデムの台数を半減させるとの要求がある。
【０００３】
このような通信システムにおいて、１台のモデムを用いて２つの系統を切り替えて対応するためには、図８に示すように、２系統のＣＣＰ３―１１、３−１２または、２系統の通信回線９１−１１、９１−１２の間に１台のモデム７を設け、モデム７と２台のＣＣＰ３−１１、３−１２間にリレー接点５２３−１を、モデム７と通信回線９１−１１、９１−１２の間にリレー接点５２３−２をそれぞれ設け、電源ユニット８からの電力をリレーコイル５２１−１、５２１−２に供給してリレー接点５２３−２、５２３−２を切り替えるようにすることが考えられる。
【０００４】
上記のような１台のモデム７を用いた伝送装置においては、多数のリレー接点５２３−１、５２３−２…５２３−ｎ、５２３−ｍを一斉に切り替えるには、全てのリレーを起動可能な大容量の電源ユニット８が必要となる。この切り替え時の電力は通常は使用されない電力であり、切り替え時以外には接点保持電流を消費するだけで、大容量の電源は装置全体のコストの観点から無駄が多い。リレーの接点保持電流は、常時必要であり省エネルギーの観点から見て問題がある。このようなことから、リレーの保持電力が不要でかつ小さな電源で短時間に容易に切り替えを実現する要求がある。
【０００５】
複数の現用系と予備系の回線を有し、現用系回線の障害時に予備警戒線に切り替える二重化した伝送装置の回線切替方法として、現用系回線または予備系回線を切り替える回線切替器を備え、この回線切替器にラッチングタイプの切替リレーを用いるとともに、回線切替器にアドレスを割り当て、回線の切替時にプロセッサから各回線のアドレスを逐次出力し、アドレスが一致した回線切替器が回線の切替を実行するようにすることが提案されている（例えば、特許文献１参照）。
【０００６】
このような回線切替回路にあっては、現用系回線から予備系回線への切替時に、プロセッサからアドレスを逐次出力することが必要であり、かつ各回線切替器にアドレスを付与することが必要となり、構成が複雑となる恐れがある。
【特許文献１】特開平３−２２７１３９号公報
【発明の開示】
【発明が解決しようとする課題】
【０００７】
本発明は、複数のホストコンピュータを、ＣＣＰとモデムを介して通信網に接続する伝送装置において、１台のモデムを２系統で切り替えて使用する場合に、簡単な構成で、切替え後の保持電力を省略し、かつ、切替用電源の容量を小さくできる回線切替回路を備えた伝送装置を提供することを目的とする。
【課題を解決するための手段】
【０００８】
上記課題を解決するために、本発明は、複数台のコンピュータに、それぞれ一対のＣＣＰ（通信制御処理装置）と１台のモデムを接続し、通信回線を１系または２系に切り替える切替信号を出力する操作盤と、前記モデムと前記一対のＣＣＰとの間に、複数の切替部を有する切替ユニットと、前記切替ユニットに電源を供給する電源ユニットとを設けた伝送装置において、前記操作盤が、１系または２系を選択する信号を出力する１系切替スイッチおよび２系切替スイッチと、切替の状態を監視する切替監視信号を出力するともに、前記切替ユニットを経由して受信した切替監視信号により切替ユニットにおける切替の状態を監視する切替監視部とを有し、前記切替ユニットが、１系または２系を選択するスイッチ選択回路と、モデムを１系または２系に切り替えるリレーを個別に制御する複数の個別制御回路と、切替えの状態を監視し切替に異常があるときに異常であることを示す情報を出力する切替監視回路と、切替信号および切替監視信号を遅延させて次位の切替ユニットに出力する遅延回路とを備えた。
【０００９】
また、本発明は、一対の通信回線と１台のモデムを接続し、一対の通信回線を１系または２系に切り替える切替信号を出力する操作盤と、前記モデムと前記一対の通信回線との間に、複数の切替部を有する切替ユニットと、前記切替ユニットに電源を供給する電源ユニットとを設けた伝送装置において、前記操作盤が、１系または２系を選択する信号を出力する１系切替スイッチおよび２系切替スイッチと、切替の状態を監視する切替監視信号を出力するともに、前記切替ユニットを経由して受信した切替監視信号により切替ユニットにおける切替の状態を監視する切替監視部とを有し、前記切替ユニットが、１系または２系を選択するスイッチ選択回路と、モデムを１系または２系に切り替えるリレーを個別に制御する複数の個別制御回路と、切替えの状態を監視し切替に異常があるときに異常であることを示す情報を出力する切替監視回路と、切替信号および切替監視信号を遅延させて次位の切替ユニットに出力する遅延回路とを備えた。
【００１０】
さらに、本発明は、上記伝送装置において、前記個別制御回路には、１系と２系を切り替えるリレーが設けられ、このリレーをラッチェットリレーとした。
【発明の効果】
【００１１】
本発明によれば、複数のホストコンピュータを、ＣＣＰとモデムを介して通信網に接続する伝送装置において、１台のモデムを２系統で切り替えて使用する場合に、簡単な構成で、切替え後の保持電力を省略し、かつ、切替用電源の容量を小さくできる回線切替回路を備えた伝送装置を得ることができる。
【発明を実施するための最良の形態】
【００１２】
本発明にかかる通信システムの構成の例を、図１を用いて説明する。以下、通信システムを構成する伝送装置を、図１の左側の伝送装置を例に説明を進める。この、場合符号の枝番ａ、ｂを省略して説明を進める。本発明にかかる伝送装置は、複数のホストコンピュータ１−１…１−ｎをそれぞれＣＣＰ（通信制御処理装置）３−１１、３−１２…３−ｎ１、３−ｎ２、モデム７−１…７−ｎを介して通信回線９１−１１、９１−１２…９１−ｎ１、９１−ｎ２に接続して伝送装置を構成している。
【００１３】
ここで、本発明の特徴的な構成は、伝送装置が、ＣＣＰ３−１１、３−１２…３−ｎ１、３−ｎ２とモデム７−１…７−ｎとの間に切替ユニット５―１１…５−ｎ１を備えたこと、および、モデム７−１…７−ｎと通信回線９１−１１、９１−１２…９１ｎ１、９１−ｎ２との間に切替ユニット５−１２…５−ｎ２を備えたことである。
【００１４】
図１において、切替ユニット５−１１は、１台のホストコンピュータ１−１と一対のＣＣＰ３−１１、３−１２および１台のモデム７−１と接続され、切替ユニット５−１２は、１台のホスト７−１と一対の回線９１−１１、９１−１２と接続されて示されるが、各切替ユニット５−１１〜５ｎ１には、それぞれ１台または複数台のホストコンピュータ１と複数対のＣＣＰ３および複数台のモデム７が接続される。同様に、各切替ユニット５−１２〜５ｎ２には、複数対の回線９１と複数台のモデム７が接続される。
【００１５】
また、本発明では、操作盤６が、１系回線を選択する１系選択信号（１系）または２系回線を選択する２系選択信号（２系）および回線の切替えが成功したか否かを監視する切替監視信号（ＡＬＭ）を、切替ユニット５−１１…５−ｎ１および切替ユニット５−１２…５−ｎ２にそれぞれ縦列に供給する。さらに、本発明では、電源ユニット８からそれぞれ並列に、切替ユニット５−１１…５−ｎ１および切替ユニット５−１１…５−ｎ２にリレー駆動電力が供給される。
【００１６】
本発明の実施に当たっては、第１の伝送装置または第２の伝送装置のいずれか一方のみに本発明が適用されてもよい。また、図１の右側の伝送装置も左側の伝送装置と同様に構成することができる。
【００１７】
切替ユニット５−１１〜５−ｎ１、５−１２〜５−ｎ２に、電源ユニット８から電源が供給されるとともに、操作盤６から１系選択信号および２系選択信号ならびに切替監視信号が供給される。
【００１８】
操作盤６からの１系選択信号および２系選択信号ならびに切替監視信号は、切替ユニット５−１１〜５−ｎ１および切替ユニット５−１２〜５−ｎ２の各切替ユニットでそれぞれ遅延されて縦列に供給され、最下位の切替ユニット５−ｎ１、５−ｎ２から操作盤６に戻される。切替ユニット５−１１〜５−ｎ１は、１系のＣＣＰ３−１１〜３−ｎ１または２系のＣＣＰ３−１２〜３−ｎ２を選択して、モデム７−１〜７−ｎに接続する。同様に、切替ユニット５−１２〜５−ｎ２は、１系の通信回線９１−１１〜９１−ｎ１または２系の通信回線９１−１２〜９１−ｎ２を選択して、モデム７−１〜７−ｎに接続する。
【００１９】
図２を用いて、切替ユニット５の構成の概要を説明する。切替ユニット５は、切替制御部５１、および複数（例えば１６回線）の切替部５２を備えている。切替部５２は、リレーコイル５２１とリレー接点５２３を備えている。切替部５２は、切替制御部５１からの１系選択信号または２系選択信号によって、リレーコイル５２１に流れる電流の方向を変えてリレー接点５２３を１系側または２系側に切り替え、切り替えた状態をラッチするラッチングリレーを構成する。
【００２０】
リレー接点５２３の可動端子には、モデム７が接続され、固定接点の一方には１系のＣＣＰ３−１が、他方には２系のＣＣＰ３−２が接続される。図１の切替ユニット５−１２〜５−ｎ２にあっては、リレー接点５２３の可動端子には、モデム７が接続され、固定接点の一方には１系の通信回線９１−１１が、他方には２系の通信回線９１−ｎ２が接続される。
【００２１】
操作盤６からは、切替制御部５１に、１系選択信号または２系選択信号、および切替監視信号が供給される。これらの信号は、所定の時間遅延されて下位の切替ユニット５の切替制御部５１に送られる。これらの信号は、最下位の切替ユニット５―ｎの切替制御部５１−ｎから操作盤６に戻される。
【００２２】
切替制御部５１の具体的な構成を、図３を用いて説明する。切替制御部５１は、スイッチ選択回路５１１と、複数の個別制御回路５１２と、切替監視回路５１３と、遅延回路５１４を備えて構成される。
【００２３】
スイッチ選択回路５１１は、操作盤６または上位の切替ユニット５から送られてきた１系を選択する１系選択信号および２系を選択する２系選択信号から、１系または２系のいずれかを選択する１系／２系選択信号を作成し、各個別制御回路５１２に送り出す。
【００２４】
個別制御回路５１２は、スイッチ選択回路５１１からの１系／２系選択信号に基づいてリレーコイル５２１に流す電流の方向を切り替える信号を切替部５２に出力する。さらに、個別制御回路５１２は、外部からの操作信号によって、切替部５１２の切替状態を個別に切り替える機能と、切替状態を反転させる機能を有している。
【００２５】
個別制御回路５１２と切替部５２は、切替制御基板５３に搭載される。切替制御基板５３には、このほかに後述する１系／２系表示発光素子（ランプ）、通常／反転スイッチおよび通常／反転表示発光素子、個別切替スイッチ、１系ＣＣＰまたは２系ＣＣＰもしくはモデムへ接続されるコネクタが設けられている。
【００２６】
切替監視回路５１３は、操作盤６または上位の切替ユニット５から送られてきた切替監視信号を受けて各切替部５２の切替えが正常に完了したかを、切替信号を受ける前の状態と切替動作後の状態を比較して、例えばＣＣＰ３の動作を監視して確認し、全ての切替部５２の切替えが正常に完了したときには、受信した切替監視信号をそのままの態様で、遅延回路５１４へ出力する。切替監視回路５１３は、いずれかの切替部５２の一つにでも正常な切替えが行われないことを検出したときには、切替監視信号に異常の発生を知らせる情報を搭載して遅延回路５１４へ出力する。
【００２７】
遅延回路５１４は、１系選択信号および２系選択信号ならびに切替監視信号を、切替部５２の動作が完了するに充分な時間（例えば１秒以上）遅延させて、下位の切替ユニット５または操作盤６へ送り出す。
【００２８】
操作盤６の構成を、図４を用いて説明する。操作盤６は、１系切替スイッチ６１と、２系切替スイッチ６２と、切替監視部６３と、信号送出部６４と、信号受信部６５とを備えている。
【００２９】
１系切替スイッチ６１と２系切替スイッチ６２は、いずれかの系を選択するスイッチであり、操作者がいずれかの切替スイッチを選択投入したときに、それぞれ選択された１系選択信号または２系選択信号を出力するとともに、選択されたことを表示する図示を省略した発光素子を備えている。
【００３０】
切替監視部６３は、最上位の切替ユニット５に切替監視信号を出力する機能と、最下位の切替ユニットから信号受信部６５で受信した切替監視信号を解析して、系統の切替処理が正常に完了したか否かを判断する機能を有している。切替監視部６３は、切替監視信号を最上位の切替ユニットに出力するとともに、最下位の切替ユニットから受信した切替監視信号を前記送出した切替監視信号と比較して一致するか否かを判断し、全ての切替ユニットで切替えが正常に完了したかいずれかの切替ユニットで切替えが異常な状態にあるかを判断する。切替監視部６３は、切替えが異常な状態であるときには、再度、切替監視信号を１系切替信号または２系切替信号とともに、最上位の切替ユニットに出力して、切替処理を再実行する。切替監視部の上記判断は、送出した切替監視信号と受信した切替監視信号を比較する手法に代えて、受信した切替監視信号に切替処理に異常があることを示す情報が搭載されていることを検出することによって行ってもよい。切替監視部６３は、切替処理中および切替完了を表示する図示を省略した発光素子および切替処理における異常の発生を表示する図示を省略した発光素子を備えている。
【００３１】
信号送出部６４は、１系切替信号および２系切替信号ならびに切替監視信号を、例えば４本の信号線を用いて最上位の切替ユニット５に送出する。
【００３２】
信号受信部６５は、例えば４本の信号線を用いて最下位の切替ユニット５からの１系切替信号および２系切替信号ならびに切替監視信号を受信し、切替監視部６３へ出力する。
【００３３】
切替監視部６３は、系統の切替えが正常に完了したときには、例えば緑色の発光素子を点灯させ、系統の切替えが正常に完了していないときには、例えば赤色の発光素子を点滅させて切替動作の異常の発生を表示するとともに、再度１系切替信号または２系切替信号および切替監視信号を出力する。
【００３４】
切替処理中は、１系切替スイッチ６１または２系切替スイッチ６２の発光素子、および切替監視部６３の発光素子を点滅させて、切替処理中であることを表示することができる。
【００３５】
このような構成を有する本発明にかかる伝送装置の動作の態様を、図５を用いて説明する。操作盤６の１系選択スイッチまたは２系選択スイッチをＯＮとすることにより、１番目の切替ユニット５のリレー切替動作がなされ、所定の時間の後２番目の切替ユニットのリレー切替動作…最下位の切替ユニットのリレー切替動作が順次縦列になされる。このようにして、複数の切替ユニットを有する伝送装置において、各切替ユニットの切替動作を順次時間差を持って行わせることによって、電源ユニットの電力容量を一つの切替ユニットの動作を行わせることができる容量に抑えることができる。
【００３６】
切替ユニット外観を、図６を用いて説明する。切替ユニット５は複数台例えば１６枚の切替制御基板５３−１〜５３−１６と、１枚の操作盤６とを搭載して構成される。各切替操作基盤５３は、図示を省略した個別制御回路および切替部と、１系／２系選択表示素子５４と、通常／反転切替スイッチ５５１および通常／反転切替表示素子５５２と、個別切替スイッチ５６と、例えば１系ＣＣＰに接続されるコネクタ５７Ｄおよび２系ＣＣＰに接続されるコネクタ５７Ｄ２ならびにモデムに接続されるコネクタ５７Ｍが設けられている。
【００３７】
操作盤６には、１系一斉切替スイッチ６１と、２系一斉切替スイッチ６２と、次位の切替ユニットに接続される次位（ＳＬＶ）接続コネクタ６４と、一つ前の切替ユニットに接続される上位（ＭＳＴ）接続コネクタ６５とを備えている。
【００３８】
切替ユニット５には、切替制御部と、スイッチ選択回路と、切替監視回路と、遅延回路が搭載されている。
【００３９】
上述のような構成を有する、本発明の伝送装置は、切替ユニットを切替信号にとって複数台縦列に接続し、夫々の切替ユニットにスイッチ選択回路と複数台の個別制御回路と切替監視回路と、切替信号を遅延させる遅延回路を備えたことにより、単に切替信号を出力するだけで、リレーの切替を切替ユニットごとに逐次遅延させて動作させることができ、電源ユニットの容量を小さくすることができる。
【００４０】
さらに、本発明によれば、切替信号とともに切替監視信号を出力し、各切替ユニットにおける切替えの正常な完了を監視して、切替えが正常に完了していないときには、再度切替信号と切替監視信号を出力して切替えを完全に完了させることができる。
【図面の簡単な説明】
【００４１】
【図１】本発明にかかる伝送装置を用いた通信システムの構成を模式的に示す図。
【図２】本発明にかかる伝送装置の切替ユニットの構成の概略を模式的に示す図。
【図３】本発明にかかる伝送装置の切替ユニットの切替制御部の構成の概略を模式的に示す図。
【図４】本発明にかかる伝送装置の操作盤の構成の概略を模式的に示す図。
【図５】本発明における切替え時の電源電流の態様を示すシーケンス図。
【図６】本発明にかかる伝送装置の切替ユニットの外観を模式的に示す図。
【図７】従来の伝送装置を用いた通信システムの構成を模式的に示す図。
【図８】従来の伝送装置を用いた通信システムにおいてモデムを切り替えて用いるようにした通信システムの構成を模式的に示す図。
【符号の説明】
【００４２】
１：ホストコンピュータ
３：ＣＣＰ（通信制御処理装置）
５：切替ユニット
５１：切替制御部
５２：切替部
５３：切替制御基板
５４：１系／２系選択表示素子
５５１：通常／反転切替スイッチ
５５２：通常／反転切替表示素子
５６：個別切替えスイッチ
５７Ｄ１：１系ＣＣＰコネクタ
５７Ｄ２：２系ＣＣＰコネクタ
５７Ｍ：モデムコネクタ
６：操作盤
６１：１系一斉切替スイッチ
６２：２系一斉切替スイッチ
６３：切替監視部
６４：信号送出部（次位（ＳＬＶ）接続コネクタ）
６５：信号受信部（上位（ＭＳＴ）接続コネクタ）
７：モデム
８：電源ユニット
９：通信網
９１：通信回線
【図１】
2009130919.tif 000003
【図２】
2009130919.tif 000004
【図３】
2009130919.tif 000005
【図４】
2009130919.tif 000006
【図５】
2009130919.tif 000007
【図６】
2009130919.tif 000008
【図７】
2009130919.tif 000009
【図８】
2009130919.tif 000010